(57)【要約】【課題】異なるグループに属する２つの情報を状況に応じて好適に表示することができ、ユーザの使い勝手の良い携帯端末装置を提供する。【解決手段】携帯電話機は、第１ディスプレイ１１と第２ディスプレイ２１とを備え、第１ディスプレイ１１のみが外部に現れる第１の状態と、双方のディスプレイ１１、２１が外部に現れる第２の状態とに切り替えられる。さらに、仕事用のスケジュール情報とプライベート用のスケジュール情報とが、メモリ２００内のデータベースに、識別フラグにて区別されて記憶されている。ＣＰＵ１００は、第１の状態にあるときには、第１ディスプレイ１１に仕事用のスケジュール情報を表示させ、第２の状態にあるときには、第１ディスプレイ１１に仕事用のスケジュール情報を表示させるとともに、第２ディスプレイ２１にプライベート用のスケジュール情報を表示させる。【選択図】図３
2011135346.tif 000002
【特許請求の範囲】
【請求項１】
携帯端末装置において、
第１の表示部および第２の表示部と、
前記第１の表示部のみが外部に現れる第１の状態と、前記第１の表示部および前記第２の表示部の双方が外部に現れる第２の状態とに切り替えるための切替部と、
前記第１の表示部および前記第２の表示部への表示を制御する表示制御部と、
情報をグループ分けして記憶する記憶部と、を備え、
前記表示制御部は、前記第１の状態にあるときには、前記第１の表示部に第１のグループの情報を表示し、前記第２の状態にあるときには、前記第１の表示部と前記第２の表示部とからなる表示画面に前記第１のグループとは別の第２のグループの情報が含まれるよう表示を行う、
ことを特徴とする携帯端末装置。
【請求項２】
請求項１に記載の携帯端末装置において、
前記表示制御部は、前記第２の状態にあるときには、前記第１の表示部に前記第１のグループの情報を表示するとともに前記第２の表示部に前記第２のグループの情報を表示する、
ことを特徴とする携帯端末装置。
【請求項３】
請求項１に記載の携帯端末装置において、
前記表示制御部は、前記第２の状態にあるときに、前記第１の表示部と前記第２の表示部とからなる表示画面に全ての前記グループの情報が含まれるよう表示を行う、
ことを特徴とする携帯端末装置。
【請求項４】
請求項１ないし３の何れか一項に記載の携帯端末装置において、
位置情報を取得する位置取得部と、
位置と前記グループとを対応づけて登録する位置登録部と、を備え、
前記表示制御部は、前記第１の状態において、現在位置に適合するグループの情報を前記第１のグループの情報として前記第１の表示部に表示させる、
ことを特徴とする携帯端末装置。
【請求項５】
請求項１ないし３の何れか一項に記載の携帯端末装置において、
時刻を計測する計時部と、
時刻と前記グループとを対応づけて登録する時刻登録部と、を備え、
前記表示制御部は、前記第１の状態において、現在時刻に適合するグループの情報を前記第１のグループの情報として前記第１の表示部に表示させる、
ことを特徴とする携帯端末装置。
【請求項６】
請求項１ないし５の何れか一項に記載の携帯端末装置において、
前記複数のグループは、仕事に係るグループおよびプライベートに係るグループを含む、
ことを特徴とする携帯端末装置。
【請求項７】
請求項１ないし６の何れか一項に記載の携帯端末装置において、
前記情報は、スケジュール情報またはアドレス情報を含む、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯電話機やＰＤＡ等の携帯端末装置には、スケジュール管理を行うためのアプリケーション（スケジューラ）が備えられている（たとえば、特許文献１参照）。ユーザは、スケジューラを起動して、予めスケジュール情報を登録することができ、また、登録しておいたスケジュール情報を確認することができる。
【０００３】
このように、ユーザは、スケジューラを利用して、仕事用のスケジュール情報とプライベート用のスケジュール情報とを一元管理することができる。
【先行技術文献】
【特許文献】
【０００４】
【特許文献１】特開２００７−１１０３９４号公報
【発明の概要】
【発明が解決しようとする課題】
【０００５】
このような携帯端末装置では、スケジュールが確認される際、仕事用のスケジュール情報とプライベート用のスケジュール情報とが区別なく表示される。たとえば、同じ日付のスケジュール情報が同じ画面に表示されるような構成の場合には、同じ日付の仕事用のスケジュール情報とプライベート用のスケジュール情報とが同じ画面に表示される。
【０００６】
しかしながら、会社の同僚には、プライベート用のスケジュール情報を見られたくない場合があり、家族や友人には、仕事用のスケジュール情報を見られたくない場合がある。
【０００７】
また、仕事中など仕事用のスケジュール情報だけを見たい状況において、両方のスケジュール情報が混在していると、所望のスケジュール情報を確認しづらい。仕事以外のときなどプライベート用のスケジュール情報だけを見たい状況においても同様である。
【０００８】
携帯端末装置には、電話番号や住所などアドレス管理を行うためのアプリケーション（アドレス帳）が備られている。アドレス帳においても、仕事用のアドレス情報（電話番号、メールアドレス、住所など）とプライベート用のアドレス情報とが一元管理されており、アドレス情報が確認される際、仕事用のアドレス情報とプライベート用のアドレス情報とが区別なく表示される。よって、アドレス帳の機能においても、スケジュール管理の機能と同様な問題が生じ得る。
【０００９】
本発明は、このような課題に鑑みてなされたものであり、異なるグループに属する情報を状況に応じて好適に表示することができ、ユーザの使い勝手の良い携帯端末装置を提供することを目的とする。
【課題を解決するための手段】
【００１０】
本発明の携帯端末装置は、第１の表示部および第２の表示部と、前記第１の表示部のみが外部に現れる第１の状態と、前記第１の表示部および前記第２の表示部の双方が外部に現れる第２の状態とに切り替えるための切替部と、前記第１の表示部および前記第２の表示部への表示を制御する表示制御部と、情報をグループ分けして記憶する記憶部とを備える。ここで、前記表示制御部は、前記第１の状態にあるときには、前記第１の表示部に第１のグループの情報を表示し、前記第２の状態にあるときには、前記第１の表示部と前記第２の表示部とからなる表示画面に前記第１のグループとは別の第２のグループの情報が含まれるよう表示を行う。
【００１１】
たとえば、前記複数のグループは、仕事に係るグループおよびプライベートに係るグループを含み得る。また、前記情報は、スケジュール情報またはアドレス情報を含み得る。
【００１２】
本発明の携帯端末装置によれば、表示形態を第１の状態としておくことで、他のグループの情報（たとえば、プライベート用のスケジュール情報やアドレス情報）を他人に見られる惧れなく、所望のグループの情報（たとえば、仕事に係るスケジュール情報やアドレス情報）を確認することができる。また、表示形態を第２の状態に切り替えることにより、他のグループの情報を確認することができる。
【００１３】
本発明の携帯端末装置において、前記表示制御部は、前記第２の状態にあるときには、前記第１の表示部に前記第１のグループの情報を表示するとともに前記第２の表示部に前記第２のグループの情報を表示するような構成とされ得る。
【００１４】
このような構成とすれば、第１のグループの情報と第２のグループの情報が各表示部に分けて表示されるため、それぞれの情報を容易に確認できる。
【００１５】
本発明の携帯端末装置において、前記表示制御部は、前記第２の状態にあるときに、前記第１の表示部と前記第２の表示部とからなる表示画面に全ての前記グループの情報が含まれるよう表示を行うような構成とされ得る。
【００１６】
このような構成とすれば、第２の状態において、全グループの情報を確認することができる。
【００１７】
本発明の携帯端末装置は、位置情報を取得する位置取得部と、位置と前記グループとを対応づけて登録する位置登録部とを備えるような構成とされ得る。この場合、前記表示制御部は、前記第１の状態において、現在位置に適合するグループの情報を前記第１のグループの情報として前記第１の表示部に表示させる。
【００１８】
また、本発明の携帯端末装置は、時刻を計測する計時部と、時刻と前記グループとを対応づけて登録する時刻登録部とを備えるような構成とされ得る。この場合、前記表示制御部は、現在時刻に適合するグループの情報を前記第１のグループの情報として前記第１の表示部に表示させる。
【００１９】
このような構成とすれば、第１の状態において、ユーザが情報を確認する場所や時間帯に応じて、ユーザに所望され得るグループの情報を、第１の表示部に表示させることができる。たとえば、現在の場所が会社である場合や現在時刻が勤務時間帯である場合には、第１の状態において、仕事に係る情報を表示させることができる。一方、現在の場所が自宅である場合や現在時刻が勤務時間外の時間帯である場合には、第１の状態において、プライベートに係る情報を表示させることができる。
【発明の効果】
【００２０】
本発明によれば、異なるグループに属する情報を状況に応じて好適に表示することができ、ユーザの使い勝手の良い携帯端末装置を提供することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２２】
【図１】実施の形態に係る携帯電話機の外観構成を示す図である。
【図２】実施の形態に係る第２キャビネットが閉じた状態から開いた状態へ切替えるための切替え操作について説明するための図である。
【図３】実施の形態に係る携帯電話機の全体構成を示すブロック図である。
【図４】実施の形態に係る第２キャビネットが閉じた状態において、第１ディスプレイに表示される初期画面の表示例を示す図である。
【図５】実施の形態に係るスケジュール情報を登録するための制御処理について説明するための図である。
【図６】実施の形態に係るスケジュール情報の登録画面の表示例を示す図である。
【図７】実施の形態に係るスケジュール情報を表示するための制御処理を示す処理フローである。
【図８】実施の形態に係るスケジュール情報の確認画面の表示例を示す図である。
【図９】実施の形態に係るスケジュール情報の確認画面の表示例を示す図である。
【図１０】実施の形態に係る第２キャビネットが閉じた状態で第１ディスプレイに表示されるグループの決定に用いられる場所と時間の条件を登録する操作について説明するための図である
【図１１】実施の形態に係るスケジュール情報を表示するための制御処理を示す他の処理フローである。
【図１２】実施の形態に係るスケジュール情報を表示するための制御処理を示す他の処理フローである。
【図１３】実施の形態に係るスケジュール情報の確認画面においてスクロール操作がなされたときの制御処理の処理フローを示す図である。
【図１４】実施の形態に係る第２キャビネットが閉じた状態でスクロール操作がなされたときの画面表示例を示す図である。
【図１５】実施の形態に係る第２キャビネットが開いた状態でスクロール操作がなされたときの画面表示例を示す図である。
【図１６】変更例１に係るスケジュール情報を表示するための制御処理を示す処理フローである。
【図１７】変更例１に係るスケジュール情報の確認画面の表示例を示す図である。
【図１８】変更例２に係るスケジュール情報を表示するための制御処理を示す処理フローである。
【図１９】変更例２に係る第２キャビネットが閉じた状態で第１ディスプレイに表示されるグループを選択するための選択画面の表示例、および選択画面での選択に応じて表示される確認画面の表示例を示す図である。
【図２０】変更例３に係るアドレス情報の確認画面の表示例を示す図である。
【図２１】変更例３に係るアドレス情報の確認画面の表示例を示す図である。
【図２２】その他の変更例に係る第２のモードにおけるスケジュール情報の確認画面の表示例を示す図である。
【図２３】その他の変更例に係る第２のモードにおけるスケジュール情報の確認画面の表示例を示す図である。
【図２４】その他の変更例に係る第２のモードにおけるスケジュール情報の確認画面の表示例を示す図である。
【発明を実施するための形態】
【００２３】
以下、本発明の実施の形態について、図面を参照して説明する。
【００２４】
図１は、携帯電話機の構成を示す図（分解斜視図）である。携帯電話機は、第１キャビネット１と、第２キャビネット２と、これら第１、第２キャビネット１、２を保持する保持体３とで構成されている。
【００２５】
第１キャビネット１は、横長の直方体形状を有する。第１キャビネット１には、第１ディスプレイ１１が配されており、そのディスプレイ面が、第１キャビネット１の正面に臨んでいる。第１ディスプレイ１１は、後述のように第１液晶パネル１１ａと第１液晶パネル１１ａを照明する第１バックライト１１ｂとで構成されている。
【００２６】
第１ディスプレイ１１の前面には、第１タッチパネル１２が配されている。第１タッチパネル１２は透明なシート状を有しており、第１タッチパネル１２を透してディスプレイ１１に表示される表示画面を見ることができる。
【００２７】
第１タッチパネル１２は、マトリクス状に配された第１透明電極と第２透明電極とを備えている。第１タッチパネル１２は、これら透明電極間の静電容量の変化を検出することによって、ユーザに触られたディスプレイ面上の位置を検出し、その位置に応じた位置信号を出力する。
【００２８】
第１キャビネット１の内部には、中央やや後ろ位置にカメラモジュール１３が配されている。このカメラモジュール１３における被写体像を取り込むためのレンズ窓（図示せず）が、第１キャビネット１の下面に設けられている。第１キャビネット１の内部には、また、前面近傍の中央位置に磁石１４が配されており、右前角部に磁石１５が配されている。さらに、上キャビネット１の右側面および左側面には、それぞれ、突起部１６、１７が設けられている。
【００２９】
第２キャビネット２は、横長の直方体形状を有する。すなわち、第２キャビネット２は、第１キャビネット１とほぼ同じ形状と大きさを有する。第２キャビネット２には、第２ディスプレイ２１が配されており、そのディスプレイ面が、第２キャビネット２の正面に臨んでいる。第２ディスプレイ２１は、後述のように第２液晶パネル２１ａと第２液晶パネル２１ａを照明する第２バックライト２１ｂとで構成されている。なお、第１ディスプレイ１１および第２ディスプレイ２１は、有機ＥＬ等他の表示素子により構成されてもよい。
【００３０】
第２ディスプレイ２１の前面には、第２タッチパネル２２が配されている。第２タッチパネル２２の構成は、第１タッチパネル１２と同様である。
【００３１】
第２キャビネット２の内部には、後面近傍の中央位置に磁石２３が配されている。
この磁石２３と第１キャビネット１の磁石１４とは、後述の如く大画面を構成する位置に第１キャビネット１と第２キャビネット２が位置づけられた状態（開状態）にあるときに、互いに引き合うよう構成されている。なお、第１キャビネット１および第２キャビネット２において、一方の磁石の磁力が十分大きければ、他方の磁石を磁性体に代えてもよい。
【００３２】
第２キャビネット２内部において、右前角部には閉鎖センサ２４が配されており、右後角部には開放センサ２５が配されている。これらセンサ２４、２５は、たとえば、ホールＩＣなどで構成され、磁石の磁力に反応して検出信号を出力する。後述するように、第１キャビネット１と第２キャビネット２とが重なった状態になると、第１キャビネット１の磁石１５が、閉鎖センサ２４に接近するので、閉鎖センサ２４からＯＮ信号が出力される。一方、第１キャビネット１と第２キャビネット２とが前後に並んだ状態になると、第１キャビネット１の磁石１５が、開放センサ２５に接近するので、開放センサ２５からＯＮ信号が出力される。
【００３３】
さらに、第２キャビネット２の右側面には２つの軸部２６が設けられており、左側面には２つの軸部２７が設けられている。
【００３４】
保持体３は、底板部３１と、底板部３１の右端部に形成された右保持部３２と、底板部３１の左端部に形成された左保持部３３とで構成されている。底板部３１、右保持部３２および左保持部３３に囲まれた収容領域Ｒに、第１キャビネット１および第２キャビネット２が上下に重なった状態で収容される。
【００３５】
底板部３１には、３つのコイルバネ３４が左右方向に並ぶように配されている。これらコイルバネ３４は、第２キャビネット２が保持体３に取り付けられた状態において、第２キャビネット２の下面に当接し、第２キャビネット２に対して上方に押し上げる力を付与する。
【００３６】
右保持部３２の上面にはマイク３５および電源キー３６が配されている。また、右保持部３２の外側面には、操作キー群３７が配されている。操作キー群３７は、たとえば、３つの操作キー３７ａ、３７ｂ、３７ｃからなる。マナーモードの設定など、一定の機能については、これら操作キーを操作することにより、タッチパネル１２、２２を操作することなく実行される。左保持部３３の上面には、通話スピーカ３８が配されている。ユーザは、左保持部３３側が耳元に、右保持部３２側が口元にくるように携帯電話機を持って、通話を行う。
【００３７】
右保持部３２および左保持部３３の内側面には、案内溝３９（左保持部３３側のみ図示）が形成されている。案内溝３９は、前後方向に延びる上溝３９ａおよび下溝３９ｂと、溝の前側に形成され、上溝３９ａと下溝３９ｂとに繋がるよう上下に延びる２つの縦溝３９ｃとで構成されている。
【００３８】
携帯電話機をアセンブルする際には、軸部２６、２７をガイド溝３９の下溝３９ｂに挿入するようにして、第２キャビネット２を保持体３の収容領域Ｒ内に配置し、さらに、突起部１６、１７をガイド溝３９の上溝３９ａに挿入するようにして、第１キャビネット１を保持体３の収容領域Ｒ内であって第２キャビネット２の上に配置する。
【００３９】
こうして、第１キャビネット１は、上溝３９ａに案内されて前後にスライド可能となる。また、第２キャビネット２は、下溝３９ｂに案内されて前後にスライド可能となる。また、第２キャビネット２が前方に移動し、軸部２６、２７が縦溝３９ｃまでくると、第２キャビネット２は、縦溝３９ｃに案内されて上下にスライド可能となる。
【００４０】
図２は、第２キャビネット２が閉じた状態から開いた状態へ切替えるための操作について説明するための図である。
【００４１】
初期の状態においては、同図（ａ）に示すように、第２キャビネット２が第１キャビネット１の背後に隠れた状態となっている。この状態（閉状態）においては、第１ディスプレイ１１のみが外部に露出している。切替えの操作は、ユーザによって手動で行われる。
【００４２】
まず、ユーザは、同図（ｂ）に示すように、第１キャビネット１を後方（矢印の方向）に移動させる。次に、第１キャビネット１の後方への移動が完了すると、同図（ｃ）に示すように、第２キャビネット２を前方へ引き出す。この引出し操作によって、第２キャビネット２が第１キャビネット１に完全に重ならない位置、すなわち第１キャビネット１の前に並ぶ位置まで移動すると、上述のように、軸部２６、２７が縦溝３９ｃにくるので、第２キャビネット２はコイルバネ３３に押されて上昇する。このとき、磁石１４と磁石２３とが引き合うことによって、さらに大きな上昇力が働く。こうして、第２キャビネット２が完全に開いた状態（開状態）になると、同図（ｄ）に示すように、第１キャビネット１と第２キャビネット２とが、前後に密着するように、且つ面一となるように並ぶ。第１ディスプレイ１１と第２ディスプレイ２１の双方が外部に露出し、２つの画面が一体化された大画面の状態となる。
【００４３】
図３は、携帯電話機の全体構成を示すブロック図である。本実施の形態の携帯電話機は、上述した各構成要素の他、ＣＰＵ１００、メモリ２００、映像エンコーダ３０１、音声エンコーダ３０２、ＧＰＳモジュール３０３、キー入力回路３０４、時計回路３０５、通信モジュール３０６、バックライト駆動回路３０７、映像デコーダ３０８、音声デコーダ３０９、外部スピーカ３１０を備えている。
【００４４】
カメラモジュール１３はＣＣＤ等の撮像素子を有する。カメラモジュール１３は、撮像素子から出力された撮像信号をデジタル化し、その撮像信号にガンマ補正等の各種補正を施して映像エンコーダ３０１へ出力する。映像エンコーダ３０１は、カメラモジュール１３からの撮像信号にエンコード処理を施してＣＰＵ１００へ出力する。
【００４５】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００４６】
ＧＰＳモジュール３０３は、上空にある複数のＧＰＳ衛星からの信号に基づいて、経度、緯度等の地理的な現在位置を測位し、その位置情報（ＧＰＳ情報）をＣＰＵ１００に出力する。
【００４７】
キー入力回路３０４は、電源キー３６や操作キー群３７の各キーが操作されたときに、各キーに応じた入力信号をＣＰＵ１００へ出力する。時計回路３０５は、時刻を計測してＣＰＵ１００へ出力する。ＣＰＵ１００は、時計回路３０５による計時結果から日時を把握する。
【００４８】
通信モジュール３０６は、ＣＰＵ１００からの音声信号や画像信号、テキスト信号などの送信データを無線信号に変換し、アンテナ３０６ａを介して基地局へ送信する。また、アンテナ３０６ａを介して受信した無線信号を音声信号や画像信号、テキスト信号などの受信データに変換してＣＰＵ１００へ出力する。
【００４９】
バックライト駆動回路３０７は、ＣＰＵ１００からの制御信号に応じた電圧信号を第１バックライト１１ｂおよび第２バックライト２１ｂに供給する。第１バックライト１１ｂは、バックライト駆動回路３０７からの電圧信号により点灯し、第１液晶パネル１１ａを照明する。第２バックライト２１ｂは、バックライト駆動回路３０７からの電圧信号により点灯し、第２液晶パネル２１ａを照明する。
【００５０】
なお、第２バックライト２１ｂは閉状態から開き始めると点灯してもよいし、開状態になったとき、あるいは開状態になる前（たとえば、図２（ｃ）の状態）に点灯してもよい。
【００５１】
映像デコーダ３０８は、ＣＰＵ１００からの映像信号を第１液晶パネル１１ａおよび第２液晶パネル２１ａで表示できるアナログ若しくはデジタルの映像信号に変換し、これら液晶パネル１１ａ、２１ａに出力する。第１液晶パネル１１ａおよび第２液晶パネル２１ａは、映像信号に応じた画像（表示画面）を各ディスプレイ面上に表示する。
【００５２】
音声デコーダ３０９は、ＣＰＵ１００からの音声信号にデコード処理を施し、さらにアナログの音声信号に変換して通話スピーカ３８に出力する。また、音声デコーダ３０９は、ＣＰＵ１００からの着信音、アラーム音等の各種報知音の音信号にデコード処理を施し、さらにアナログの音信号に変換して外部スピーカ３１０へ出力する。通話スピーカ３８は、音声デコーダ３０９からの音声信号を音声として再生する。外部スピーカ３１０は、音声デコーダ３０９からの着信音等を再生する。
【００５３】
メモリ２００は、ＲＯＭおよびＲＡＭを含む。メモリ２００には、ＣＰＵ１００に制御機能を付与するための制御プログラムが記憶されている。また、メモリ２００には、カメラモジュール１３で撮影した画像データや通信モジュール３０４を介して外部から取り込んだ画像データ、テキストデータ（メールデータ）などが所定のファイル形式で保存される。
【００５４】
ＣＰＵ１００は、キー入力回路３０４およびタッチパネル１２、２２からの操作入力信号に基づき、制御プログラムに従って、カメラモジュール１３、マイク３５、通信モジュール３０６、液晶パネル１１ａ、２１ａ、通話スピーカ３８、外部スピーカ３１０等を動作させる。これにより、通話機能、電子メール機能等の各種機能（アプリケーション）を実行する。
【００５５】
また、ＣＰＵ１００は、メモリ２００内に用意されたワークエリア内で、各ディスプレイ１１、２１に表示する表示画面を生成し、表示画面を構成するための映像信号を出力する。
【００５６】
図４は、第２キャビネット２が閉じた状態において、第１ディスプレイ１１に表示される初期画面の表示例を示す図である。
【００５７】
第２キャビネット２が閉じた状態において、たとえば、第１ディスプレイ１１には、初期画面としてメニュー画面が表示される。メニュー画面には、たとえば、同図に示すように、各種のアプリケーションを実行するためのアイコンＭ１が表示されている。アプリケーションは、あらかじめ登録されているアプリケーション以外にも、たとえば、インターネットを通じたダウンロード等により入手可能であり、入手されたアプリケーションは、インストールにより携帯電話機に追加される。
【００５８】
ユーザは、第１ディスプレイ１１に表示された所望のアイコンを指などでタッチすることにより、所望のアプリケーションを実行することができる。
【００５９】
第１ディスプレイ１１には、さらに、受信状態を示すアンテナマークＭ２およびバッテリーの残量を示す残量マークＭ３が表示されている。ユーザは、アンテナマークＭ２により受信状態を確認でき、残量マークＭ３によりバッテリーの残量を確認することができる。
【００６０】
さて、上記初期画面において、「スケジュール」のアイコンＭ１がユーザによってタッチされると、スケジューラが起動し、スケジュール管理の機能が実行される。ユーザは、スケジュールの登録画面おいて所望のスケジュール情報を登録し、登録したスケジュール情報を確認画面において確認することができる。
【００６１】
図５は、スケジュール情報を登録するための制御処理について説明するための図である。同図（ａ）は、スケジュール登録に係る処理フローを示し、同図（ｂ）は、登録されるスケジュール情報に係るデータベース（以下、「スケジュールデータベース」という）を示す。なお、スケジュールデータベースは、メモリ２００に構築される。
【００６２】
また、図６は、スケジュール情報の登録画面の表示例を示す図である。同図（ａ）は、スケジュール情報が入力される前の状態を示し、同図（ｂ）は、スケジュール情報が入力された後の状態を示す。
【００６３】
図５（ａ）を参照して、ＣＰＵ１００は、スケジュール情報の登録画面を呼び出すための操作がユーザによってなされたか否かを判定する（Ｓ１０１）。ユーザは、スケジュール管理機能の初期画面において、登録画面の呼出し操作を行うことができる。
【００６４】
ユーザによって登録画面の呼び出し操作が行われると（Ｓ１０１：ＹＥＳ）、ＣＰＵ１００は、第１ディスプレイ１１および第２ディスプレイ２１に登録画面を表示させる。即ち、ＣＰＵ１００は、図６（ａ）に示すように、第１ディスプレイ１１に、日時および内容の入力を行うための表示を行わせ、さらに、グループ（「プライベート」、「仕事」）の選択を行うための絵柄Ｄ１の表示を行わせる。また、ＣＰＵ１００は、第２ディスプレイ２１に文字や数字の入力を行うためのＱＷＥＲＴＹキーＭ４の表示を行わせる。
【００６５】
図６（ｂ）に示すように、ユーザは、ＱＷＥＲＴＹキーＭ４を用いて日時と内容を入力する。さらに、ユーザは、入力したスケジュール情報のグループを選択する。たとえば、「仕事」のグループを選択する場合、ユーザは、図６に斜線部で示す窓部を、指等でドラッグして右から左へスライドさせることで、「仕事」のグループの窓部を開け、「プライベート」のグループを窓部で覆う。こうして、ユーザは、日時および内容の入力と、グループの選択が完了すると、登録キーを押す。
【００６６】
ＣＰＵ１００は、ユーザによって登録操作が行われると（Ｓ１０３：ＹＥＳ）、スケジュールデータベースに、入力されたスケジュール情報を登録する。このとき、図５（ｂ）に示すように、スケジュール情報の種別に応じて、スケジュールデータベースの識別フラグがセットされる。即ち、仕事用のスケジュール情報であれば、仕事用のフラグがセットされ、フプライベート用のスケジュール情報であれば、プライベート用のフラグがセットされる。
【００６７】
次に、ＣＰＵ１００は、本携帯電話機との間でスケジュール情報の同期設定がなされている会社や自宅のパソコンへ、登録されたスケジュール情報を、通信モジュール３０６を介して送信する（Ｓ１０５）。ＣＰＵ１００は、今回、登録されたスケジュール情報が、仕事に係るものであれば、スケジュールデータベース内の全ての仕事に係るスケジュール情報を会社のパソコンに送信し、プライベートに係るものであれば、スケジュールデータベース内の全てのプライベートに係るスケジュール情報を自宅のパソコンに送信する。これに基づき、会社や自宅のパソコンでは、スケジュール情報の同期処理が行われ、携帯電話機側にあるスケジュール情報と同期するよう、パソコンのメモリ内のスケジュールデータベースが書き換えられることとなる。
【００６８】
ＣＰＵ１００は、登録画面の呼出し操作がなされなければ（Ｓ１０１：ＮＯ）、同期設定がなされている会社や自宅のパソコンからスケジュール情報が通信モジュール３０６で受信されたか否かを判定する（Ｓ１０６）。
【００６９】
自宅または会社のパソコンでは、スケジュール情報が新たに登録されると、スケジュールデータベース内の全てのスケジュール情報が送信される。これにより、ＣＰＵ１００は、スケジュール情報が受信されたと判定すると（Ｓ１０６：ＹＥＳ）、スケジュール情報の同期処理を行う（Ｓ１０７）。
【００７０】
即ち、まず、ＣＰＵ１００は、スケジュール情報の送信元が会社のパソコンであるか自宅のパソコンであるかを判定する。同期設定がなされる際、メモリ２００には、同期設定が行われたパソコンを識別するための識別情報が記憶される。スケジュール情報には、パソコンの識別情報が付加されており、ＣＰＵ１００は、この識別情報に基づいて送信元のパソコンを判定する。
【００７１】
ＣＰＵ１００は、送信元が会社のパソコンであると判定すると、送られてきた全てのスケジュール情報と、メモリ２００内のスケジュールデータベースの仕事用のスケジュール情報とを比較し、スケジュールデータベースに登録されていないスケジュール情報を登録する。このとき、そのスケジュール情報に対し、仕事用のフラグがセットされる。一方、ＣＰＵ１００は、自宅のパソコンであると判定すると、送られてきた全てのスケジュール情報と、メモリ２００内のスケジュールデータベースのプライベート用のスケジュール情報とを比較し、スケジュールデータベースに登録されていないスケジュール情報を登録する。このとき、そのスケジュール情報に対し、プライベート用のフラグがセットされる。
【００７２】
以上のように、登録画面を用いた入力によって、あるいは、会社や自宅のパソコンからの送信によって、スケジュール情報の登録が行われる。
【００７３】
なお、携帯電話機からの送信処理は、パソコンとの間で近接通信が可能となったときに、この近接通信を用いて行ってもよく、リアルタイムに送信しなくてもよい。また、携帯電話機の受信処理についても、近接通信が可能となったときに、所定のタイミングで行うようにしてもよい。
【００７４】
図７は、スケジュール情報を表示するための制御処理を示す処理フローである。また、図８および図９は、スケジュール情報の確認画面の表示例を示す図である。
【００７５】
図７を参照して、ＣＰＵ１００は、スケジュール情報の確認画面を呼び出すための操作がユーザによってなされたか否かを判定する（Ｓ２０１）。ユーザは、スケジュール管理機能の初期画面において、確認画面の呼出し操作を行うことができる。この際、ユーザにより、スケジュール情報を確認したい日付を指定する操作が呼出し操作とともになされる。
【００７６】
ユーザによって確認画面の呼び出し操作が行われると（Ｓ２０１：ＹＥＳ）、ＣＰＵ１００は、第２キャビネット２が閉じた状態であるか否かを判定する（Ｓ２０２）。そして、第２キャビネット２が閉じた状態であれば（Ｓ２０２：ＹＥＳ）、ＧＰＳモジュールからの位置情報に基づいて、現在、位置情報が取得された場所が、仕事に係る場所であるか否かを判定する（Ｓ２０３）。さらに、ＣＰＵ１００は、現在時刻が仕事に係る時間帯であるか否かを判定する（Ｓ２０４)。
【００７７】
ユーザは、たとえば、図１０（ａ）に示す条件登録画面を用いて、仕事に係る場所の位置情報と仕事に係る時間帯を予め登録しておく。ユーザは、自分の会社とその勤務時間を登録する場合、会社において条件登録画面を呼び出す。そして、「グループ」の項目において、「仕事」と「プライベート」の２つのグループから登録するグループとして、「仕事」のグループを選択する。次に、ユーザは、「位置」の項目にある「位置情報取得」のキーを押して、会社の位置情報をＧＰＳモジュール３０３にて取得する。さらに、ユーザは「曜日」の項目において出勤する曜日を選択し、「時間」の項目において出勤時間帯を入力する。入力が完了すると、ユーザは、登録キーを押す。これによって、図１０（ｂ）示すように、条件登録画面で入力された情報がメモリ２００内のデータベースに登録される。なお、位置情報や時間帯については、データベースに複数個登録できるようにすることが望ましい。
【００７８】
ＣＰＵ１００は、現在取得された位置情報(その場所における位置情報)が、登録した位置情報に対して所定の範囲内の位置であれば、仕事に係る場所であると判定する。また、ＣＰＵ１００は、現在時刻が、登録された曜日かつ勤務時間帯であれば、仕事に係る時間帯であると判定する。
【００７９】
ＣＰＵ１００は、現在の場所が仕事に係る場所であるか（Ｓ２０３：ＹＥＳ）、あるいは現在時刻が仕事に係る時間帯であれば（Ｓ２０４：ＹＥＳ）、仕事中にスケジュール情報が確認されている可能性が高いため、第１ディスプレイ１１に仕事用のスケジュール情報を表示させる（Ｓ２０５）。これにより、ユーザは、仕事用のスケジュールの確認が行える。
【００８０】
即ち、ＣＰＵ１００は、スケジュールデータベースから仕事用のフラグがセットされたスケジュール情報を読み出し、第１ディスプレイ１１に表示させる。これにより、第１ディスプレイ１１には、たとえば、図８（ａ）に示すように、ユーザにより指定された日付の時刻毎に仕事用のスケジュール内容が表示される。
【００８１】
こうして、ユーザは、第１ディスプレイ１１を見ることにより、仕事用のスケジュール情報のみを確認できる。
【００８２】
次に、ＣＰＵ１００は、第２キャビネット２が開かれたか否かを判定する（Ｓ２０６）。つまり、仕事用のスケジュールを見ているユーザは、プライベート用のスケジュール情報を確認したくなった場合、第２キャビネット２を開く。
【００８３】
ＣＰＵ１００は、第２キャビネット２が開かれると（Ｓ２０６：ＹＥＳ）、第１ディスプレイ１１の表示状態を維持したまま、第２ディスプレイ２１にプライベート用のスケジュール情報を表示させる（Ｓ２０７）。
【００８４】
即ち、ＣＰＵ１００は、スケジュールデータベースからプライベート用のフラグがセットされたスケジュール情報を読み出し、第２ディスプレイ２１に表示させる。これにより、第２ディスプレイ２１には、たとえば、図８（ｂ）に示すように、ユーザにより指定された日付の時刻毎にプライベート用のスケジュール内容が表示される。
【００８５】
こうして、ユーザは、第１ディスプレイ１１を見ることにより、仕事用のスケジュール情報を確認できるとともに、第２ディスプレイ２１を見ることにより、プライベート用のスケジュール情報を確認することができる。
【００８６】
一方、ＣＰＵ１００は、ステップＳ２０３で現在の場所が仕事に係る場所でないと判定し（Ｓ２０３：ＮＯ）、かつステップＳ２０４で現在時刻が仕事に係る時間帯でないと判定すれば（Ｓ２０４：ＹＥＳ）、プライベート中にスケジュール情報が確認されている可能性が高いため、第１ディスプレイ１１にプライベート用のスケジュール情報を表示させる（Ｓ２０８）。
【００８７】
即ち、ＣＰＵ１００は、スケジュールデータベースからプライベート用のフラグがセットされたスケジュール情報を読み出し、第１ディスプレイ１１に表示させる。これにより、第１ディスプレイ１１には、たとえば、図９（ａ）に示すように、ユーザにより指定された日付の時刻毎にプライベート用のスケジュール内容が表示される。
【００８８】
こうして、ユーザは、第１ディスプレイ１１を見ることにより、プライベート用のスケジュール情報のみを確認できる。
【００８９】
次に、ＣＰＵ１００は、第２キャビネット２が開かれたか否かを判定する（Ｓ２０９）。つまり、プライベート用のスケジュールを見ているユーザは、仕事用のスケジュール情報を確認したくなった場合には、第２キャビネット２を開く。
【００９０】
ＣＰＵ１００は、第２キャビネット２が開かれると（Ｓ２０９：ＹＥＳ）、第１ディスプレイ１１の表示状態を維持したまま、第２ディスプレイ２１に仕事用のスケジュール情報を表示させる（Ｓ２１０）。
【００９１】
即ち、ＣＰＵ１００は、スケジュールデータベースから仕事用のフラグがセットされたスケジュール情報を読み出し、第２ディスプレイ２１に表示させる。これにより、第２ディスプレイ２１には、たとえば、図９（ｂ）に示すように、ユーザにより指定された日付の時刻毎に仕事用のスケジュール内容が表示される。
【００９２】
こうして、ユーザは、第１ディスプレイ１１を見ることにより、プライベート用のスケジュール情報を確認できるとともに、第２ディスプレイ２１を見ることにより、仕事用のスケジュール情報を確認することができる。
【００９３】
さて、第２キャビネット２が開いた状態で、ユーザによりスケジュール確認画面の呼出し操作がなされる場合がある。ＣＰＵ１００は、確認画面の呼出し操作がなされた際に（Ｓ１０１：ＹＥＳ）、第２キャビネット２が開いていれば（Ｓ２０２：ＮＯ）、現在の場所や時間帯に関係なく、第１ディスプレイ１１に仕事用のスケジュール情報を表示させ（Ｓ２１１）、第２ディスプレイ２１にプライベート用のスケジュール情報を表示させる（Ｓ２１２）。
【００９４】
なお、この場合、第１ディスプレイ１１にプライベート用のスケジュール情報が表示され、第２ディスプレイ２１に仕事用のスケジュール情報が表示されてもよい。また、ステップＳ２０３および／またはＳ２０４と同様な判定がなされ、仕事に係る場所や時間帯であれば、双方のディスプレイ１１、２１に仕事用のスケジュール情報が表示され、プライベートに係る場所や時間帯であれば、双方のディスプレイ１１、２１にプライベート用のスケジュール情報が表示されてもよい。このときは、１つのディスプレイのときの倍の数のスケジュール情報が表示できることになる。
【００９５】
上記構成では、場所の判定と時刻の判定の双方を行うようにしているが、図１１に示すように、場所の判定のみを行うようにしてもよい。この場合、ＣＰＵ１００は、現在の場所が仕事に係る場所であれば（Ｓ２０３：ＹＥＳ）、第１ディスプレイ１１に仕事用のスケジュール情報を表示させ（Ｓ２０５）、仕事に係る場所でなければ（Ｓ２０３：ＮＯ）、第２ディスプレイ２１にプライベート用のスケジュール情報を表示させる（Ｓ２０８）。
【００９６】
また、図１２に示すように、時刻の判定のみを行うようにしてもよい。この場合、ＣＰＵ１００は、現在時刻が仕事に係る時間帯であれば（Ｓ２０４：ＹＥＳ）、第１ディスプレイ１１に仕事用のスケジュール情報を表示させ（Ｓ２０５）、仕事に係る時間帯でなければ（Ｓ２０４：ＮＯ）、第２ディスプレイ２１にプライベート用のスケジュール情報を表示させる（Ｓ２０８）。
【００９７】
図１３は、スケジュール情報の確認画面においてスクロール操作がなされたときの制御処理の処理フローを示す図である。また、図１４は、第２キャビネット２が閉じた状態でスクロール操作がなされたときの画面表示例を示し、図１５は、第２キャビネット２が開いた状態でスクロール操作がなされたときの画面表示例を示す。
【００９８】
図１３を参照して、ＣＰＵ１００は、確認画面が表示された状態において、スクロール操作がなされたか否かを判定する（Ｓ３０１）。たとえば、ＣＰＵ１００は、ユーザの指等によってディスプレイ面が上から下になぞられれば、現在の画面を下へ移動させる操作がなされたと判定し、ディスプレイ面が下から上になぞられれば、現在の画面を上へ移動させる操作がなされたと判定する。
【００９９】
ＣＰＵ１００は、スクロール操作がなされたときに（Ｓ３０１：ＹＥＳ）、第２キャビネット２が閉じていれば（Ｓ３０２:ＹＥＳ）、スクロール操作に従って、第１ディスプレイ１１の確認画面をスクロールさせる（Ｓ３０３）。図１４（ａ）のように、第１ディスプレイ１１が上から下にスクロール操作されると、図１４（ｂ）のように、前の時刻帯の確認画面へとスクロールする。
【０１００】
一方、ＣＰＵ１００は、スクロール操作がなされたときに（Ｓ３０１：ＹＥＳ）、第２キャビネット２が開いていれば（Ｓ３０２:ＮＯ）、第１ディスプレイ１１と第２ディスプレイ２１のどちらがスクロール操作されても、操作されたディスプレイのスクロールに連動させて、他のディスプレイを同じようにスクロールさせる（Ｓ３０４）。図１５（ａ）のように、第１ディスプレイ１１が上から下にスクロール操作されると、図１５（ｂ）のように、双方のディスプレイ１１、２１が前の時刻帯の確認画面へとスクロールする。
【０１０１】
このように、２つのディスプレイが連動してスクロールすれば、同じ時刻帯の仕事用のスケジュール情報とプライベート用のスケジュール情報を容易に確認することができる。
【０１０２】
以上、説明したとおり、本実施の形態によれば、仕事中（プライベート中）には、第２キャビネット２を閉じた状態としておくことで、ユーザは、第１ディスプレイ１１により、仕事用（プライベート用）のスケジュール情報のみを容易に確認できる。また、プライベート用（仕事用）のスケジュール情報が他人に見られる惧れがない。しかも、ユーザは、プライベート用（仕事用）のスケジュール情報が見たいときには、第２キャビネット２を開くことで、プライベート用（仕事用）のスケジュール情報を容易に確認することができる。
【０１０３】
また、本実施の形態によれば、仕事中である可能性が高いときには、第２キャビネット２が閉じた状態において、第１ディスプレイ１１に仕事用のスケジュール情報が表示され、プライベート中である可能性が高いときには、第２キャビネット２が閉じた状態において、第１ディスプレイ１１にプライベート用のスケジュール情報が表示さる。即ち、一つのディスプレイにスケジュール表示する場合には、状況に応じて、所望とされ得るグループのスケジュール情報が表示されるので、ユーザは、表示を切替える操作を逐一行う必要がなく、ユーザの使い勝手が良くなる。
【０１０４】
＜変更例１＞
図１６は、変更例１に係るスケジュール情報を表示するための制御処理を示す処理フローである。また、図１７は、変更例１に係るスケジュール情報の確認画面の表示例を示す図である。
【０１０５】
上記実施の形態では、第２キャビネット２が開かれた状態で、仕事用のスケジュール情報とプライベート用のスケジュール情報が、各々時間軸で一つにまとまり、各ディスプレイ１１、２１に表示されるような構成とされている。
【０１０６】
しかしながら、双方のディスプレイ１１、２１による表示形態を、本変更例のようにすることもできる。
【０１０７】
本変更例では、図７のステップＳ２０７、２１０、Ｓ２１１およびＳ２１２の処理に替えて、図１６のステップＳ２１３の処理が実行される。ＣＰＵ１００は、第２キャビネット２が開かれた状態にある場合（Ｓ２０２：ＹＥＳ、Ｓ２０６：ＹＥＳ、Ｓ２０９：ＹＥＳ）、図１７（ｂ）に示すように、双方のディスプレイ１１、２１を用いて時刻毎に全てのスケジュール情報を表示する。
【０１０８】
なお、この場合もユーザは、同図（ａ）、（ｂ）の状態で画面をなぞる等のスクロール操作を行うことにより、表示を上下にスクロールさせることができる。これにより、簡便に、所望の時刻帯のスケジュールを確認することができる。
【０１０９】
＜変更例２＞
図１８は、変更例２に係るスケジュール情報を表示するための制御処理を示す処理フローである。また、図１９（ａ）は、第２キャビネット２が閉じた状態で第１ディスプレイ１１に表示されるグループを選択するための選択画面の表示例を示す図であり、図１９（ｂ）、（ｃ）は、選択画面での選択に応じて表示される確認画面の表示例を示す図である。
【０１１０】
上記実施の形態では、第２キャビネット２が閉じられているときに、第１ディスプレイ１１に表示されるスケジュール情報が、場所や時間帯に応じて自動的に選択されるような構成とされている。
【０１１１】
しかしながら、本変更例のように、第１ディスプレイ１１に表示されるスケジュール情報が、ユーザによって選択されるような構成とされてもよい。
【０１１２】
本変更例では、図７のステップＳ２０３およびＳ２０４の処理に替えて、図１８のステップＳ２１４およびＳ２１５の処理が実行される。ＣＰＵ１００は、確認画面の呼び出し操作が行われた際（Ｓ２０１：ＹＥＳ）、第２キャビネット２が閉じていれば（Ｓ２０２：ＹＥＳ）、図１９（ａ）に示すように、グループを選択するための選択画面を第１ディスプレイ１１に表示させる（Ｓ２１４）。そして、この選択画面において、ユーザにより「仕事」のグループが選択されれば（Ｓ２１５：ＹＥＳ）、図１９（ｂ）に示すように、第１ディスプレイ１１に仕事用のスケジュール情報を表示させる（Ｓ２０５）。一方、ユーザにより「プライベート」のグループが選択されれば（Ｓ２１５：ＮＯ）、図１９（ｃ）に示すように、第１ディスプレイ１１にプライベート用のスケジュール情報を表示させる（Ｓ２０８）。
【０１１３】
なお、本変更例のように、確認画面が呼び出される度にユーザに選択を求めるような構成ではなく、所定の設定画面において、ユーザが予め何れかのグループを選択し設定できるような構成とされてもよい。この場合、確認画面が呼び出されると、予め設定されたグループのスケジュール情報が第１ディスプレイ１１に表示される。
【０１１４】
＜変更例３＞
上記実施の形態では、本発明を、スケジュール管理の機能に適用した例について説明した。しかしながら、本発明を、アドレス帳の機能に適用することもできる。
【０１１５】
図２０および図２１は、変更例３に係るアドレス情報の確認画面の表示例を示す図である。
【０１１６】
本変更例においても、図５と同様の登録に係る制御処理が行われることにより、アドレス情報が、メモリ２００内のアドレス情報に係るデータベース（以下、「アドレスデータベース」という）に登録される。たとえば、アドレス情報として、名前、電話番号、住所、メールアドレス、写真画像等がアドレスデータベースに登録され、一人ひとりのアドレス情報に対して仕事用のフラグ、またはプライベート用のフラグがセットされる。
【０１１７】
なお、本変更例の場合には、携帯電話機と会社や自宅のパソコンとの間でアドレス情報の同期設定が行われることとなる。
【０１１８】
また、本変更例では、図７、図１１または図１２と同様の表示に係る制御処理が行われる。即ち、図２０に示すように、第２キャビネット２が閉じられた状態において、アドレス情報の確認画面の呼出し操作がなされた場合、仕事に係る場所や時間帯であれば、図２０（ａ）に示すように、仕事用のアドレス情報、たとえば、アドレスデータベースに登録されたアドレス情報のうち写真画像と名前が、第１ディスプレイ１１に表示される。そして、第２キャビネット２が開かれると、図２０（ｂ）に示すように、第２ディスプレイ２１にプライベート用のアドレス情報が表示される。
【０１１９】
同様に、第２キャビネット２が閉じられた状態において、アドレス情報の確認画面の呼出し操作がなされた場合、プライベートに係る場所や時間帯であれば、図２１（ａ）に示すように、プライベート用のアドレス情報が、第１ディスプレイ１１に表示される。そして、第２キャビネット２が開かれると、図２１（ｂ）に示すように、第２ディスプレイ２１に仕事用のアドレス情報が表示される。
【０１２０】
なお、アドレス情報の場合には、仕事とプライベートの共通のアドレス情報が存在し得る。この場合、アドレスデータベースでは仕事用とプライベート用の双方のフラグがセットされる。そして、図２０および図２１に示すように、第１ディスプレイ１１のみの表示状態において、仕事とプライベートの共通のアドレス情報には、共通であることを示すマーク（たとえば、四角にＰのマーク）が付される。なお、双方のディスプレイ１１、２１による表示状態に切り替わった場合、第２ディスプレイ２１には、共通のアドレス情報は表示されない。また、図２０および図２１では、写真画像のないアドレス情報については、人物が破線で表されている。
【０１２１】
なお、本変更例においても、図１３から図１５で説明したスクロール操作に係る制御処理が実行され得る。また、変更例１および変更例２の構成が適用され得る。
【０１２２】
＜その他＞
上記実施の形態および変更例に示す形態以外にも、さらに種々変更が可能である。
【０１２３】
たとえば、上記実施の形態では、第２キャビネット２が開かれると、第１ディスプレイ１１に仕事用（プライベート用）のスケジュール情報が表示され、第２ディスプレイ２１にプライベート用（仕事用）のスケジュール情報が表示されるようにしている。
【０１２４】
しかしながら、このような表示形態を第１のモードとしたうえで、さらに、以下に示す第２のモードが、第１のモードと選択的に実行されるような構成としてもよい。
【０１２５】
図２２から図２４は、第２のモードにおけるスケジュール情報の確認画面の表示例を示す図である。
【０１２６】
第２のモードが選択された場合、図２２（ａ）のように、第１ディスプレイ１１のみに仕事用のスケジュール情報が表示された状態から、図２２（ｂ）のように、第２キャビネット２が開かれると、第１ディスプレイ１１に表示された仕事用のスケジュール情報の確認画面の後続の確認画面が、第２ディスプレイ２１に表示される。
【０１２７】
また、第１ディスプレイ１１には、切替キーＭ５が表示されており、図２３（ａ）に示す、仕事用のスケジュール情報が表示された状態において、切替キーＭ５が押されると、図２３（ｂ）に示す、プライベート用のスケジュール情報が表示された状態となる。図２３（ｂ）の表示状態から、再び切替キーＭ５が押されれば、図２３（ａ）の表示状態へ戻る。
【０１２８】
さらに、図２４（ａ）のように、第１ディスプレイ１１のみにプライベート用のスケジュール情報が表示された状態から、図２４（ｂ）のように、第２キャビネット２が開かれると、第１ディスプレイ１１に表示されたプライベート用のスケジュール情報の確認画面の後続の確認画面が、第２ディスプレイ２１に表示される。
【０１２９】
なお、図２２（ｂ）に示す表示状態において、切替キーＭ５が押されると、図２４（ｂ）に示す表示状態に切り替わるようにされてもよい。さらに、図２４（ｂ）に示す状態から切替キーＭ５が押されたときには、第１ディスプレイ１１に仕事用のスケジュール情報が表示され、第２ディスプレイ２１にプライベート用のスケジュール情報が表示されるようにされてもよい。
【０１３０】
このように、第２のモードを設けるようにすれば、表示形態の幅が広がり、ユーザにとって、さらに使い勝手が良くなる。
【０１３１】
なお、図２２から図２４の構成は、図２０および図２１の変更例に適用することもできる。
【０１３２】
また、上記実施の形態では、仕事用（プライベート用）のスケジュール情報が第１ディスプレイ１１に表示された状態から、第２キャビネット２が開かれると、第１ディスプレイ１１には、引き続き仕事用（プライベート用）のスケジュール情報が表示され、第２ディスプレイ２１に、プライベート用（仕事用）のスケジュール情報が表示されるような構成とされている。
【０１３３】
しかしながら、これとは逆に、仕事用（プライベート用）のスケジュール情報が第１ディスプレイ１１に表示された状態から、第２キャビネット２が開かれると、第１ディスプレイ１１には、新たにプライベート用（仕事用）のスケジュール情報が表示され、第２ディスプレイ２１に、仕事用（プライベート用）のスケジュール情報が表示されるような構成とされてもよい。
【０１３４】
また、上記実施の形態では、図６の登録画面において、ユーザが、「仕事」と「プライベート」の２つグループから何れかのグループを選択できる構成とされている。スケジュール情報は、選択されたグループに対応する識別フラグが付されてスケジュールデータベースに登録される。しかしながら、「仕事」と「プライベート」の２つのグループが、さらに小さなグループ、たとえば、「仕事」のグループなら、「仕事(狭義)」、「会議」、「出張」等に、「プライベート」のグループなら、「デート」、「食事」、「趣味」等に分けられ、登録画面では、これら小グループが表示されるようにしてもよい。スケジュール情報は、選択された小グループに対応する識別フラグが付されてスケジュールデータベースに登録される。
【０１３５】
この場合、たとえば、「仕事」のグループに属するスケジュール情報が表示されるときには、「仕事」のグループに属する小グループ（「仕事(狭義)」、「会議」、「出張」等）の識別フラグがセットされたスケジュール情報がスケジュールデータベースから読み出される。また、「プライベート」のグループに属するスケジュール情報が表示されるときには、「プライベート」のグループに属する小グループ（「デート」、「食事」、「趣味」等）の識別フラグがセットされたスケジュール情報がスケジュールデータベースから読み出される。
【０１３６】
さらに、上記実施の形態では、仕事に係るグループとプライベートに係るグループの２つのグループが設定されている。
【０１３７】
しかしながら、「仕事」と「プライベート」に限らず、他のグループ分けがなされてもよい。たとえば、家族に係るグループと家族以外に係るグループに分けられてもよい。この場合、たとえば、図１０（ａ）と同様の条件登録画面により、自宅の位置情報や自宅にいる時間帯が登録され、図７、図１１または図１２と同様の制御処理により、ステップＳ２０３では、現在の場所が家族に係る場所か否かが判定され、ステップＳ２０４では、現在時刻が家族に係る時間帯か否かが判定される。そして、現在の場所が自宅であるときや現在時刻が自宅にいるような時間帯であるときには、第２キャビネット２が閉じた状態で、家族に係るスケジュール情報が第１ディスプレイ１１に表示される。
【０１３８】
また、スケジュール情報が、３つ、あるいはそれ以上のグループに分けられるような構成とされてもよい。たとえば、「仕事」、「習い事」、「フリー」の３つグループ分け、「学校」、「クラブ活動」、「習い事」、「フリー」の４つのグループ分け、等が考えられる。この場合、第２キャビネット２が開かれた状態において、第２ディスプレイ２１には、第１ディスプレイ１１に表示された一つのグループ以外の全てのグループのスケジュール情報が表示され得る。あるいは、第２ディスプレイ２１には、他のグループの中からユーザによって予め選択された一つのグループのスケジュール情報が表示され得る。さらには、第２ディスプレイ２１には、他の何れかのグループのスケジュール情報が表示され、図２２に示すような切替キーＭ５によってさらに他のグループに切り替えられるようにしても良い。また、図１７の場合と同様、第２キャビネット２が開かれた状態において、第１ディスプレイ１１と第２ディスプレイ２１に全てのグループのスケジュール情報を表示するようにしても良い。
【０１３９】
なお、「仕事」と「プライベート」のグループ分けや、「家族」と「家族以外」のグループ分けなど、どのようなグループ分けを行うかをユーザが設定できるようにしてもよい。このようにすれば、ユーザは、「仕事」や「家族」など、どの事柄を優先するかを考えて、所望するグループ分けを行うことができる。
【０１４０】
さらに、上記実施の形態では、スケジュール情報が何れのグループに属するか否かを識別フラグによって識別するようにしているが、メモリ２００内に、グループ毎に異なるデータベースを構築することによって、グループの識別を行うようにしてもよい。
【０１４１】
また、上記実施の形態では、スケジュール情報が送信されるパソコンが会社のパソコンであるか自宅のパソコンであるかに応じてスケジュールデータベースの識別フラグが設定されるような構成とされている。しかしながら、送信元のパソコンによらず、そのスケジュール情報に仕事用かプライベート用かの識別情報が付加されている場合には、その識別情報に従って識別フラグがセットされるような構成とされてもよい。
【０１４２】
さらに、上記実施の形態では、携帯電話機と会社や自宅のパソコンのスケジューラとの間でスケジュール情報の同期設定がなされるような構成とされている。しかしながら、これに限らず、ウェブサイト上のスケジュール管理機能との間でスケジュール情報の同期設定がなされるような構成とされてもよい。この場合、ウェブサーバからスケジュール情報が送信され、その際、仕事用かプライベート用かを識別する識別情報がスケジュール情報に付加され得る。よって、携帯電話機側では、識別情報を判定するにより、スケジュールデータベースにおいて識別フラグがセットされ得る。
【０１４３】
さらに、本発明の携帯端末装置は、携帯電話機に限られず、ＰＤＡ（Personal Digital Assistant）等であってもよい。
【０１４４】
この他、本発明の実施の形態は、特許請求の範囲に示された技術的思想の範囲内において、適宜、種々の変更が可能である。
【符号の説明】
【０１４５】
１１  第１ディスプレイ（第１の表示部）
１４    磁石（切替部）
１６    突起部（切替部）
１７    突起部（切替部）
２１  第２ディスプレイ（第２の表示部）
２３    磁石（切替部）
２６    軸部（切替部）
２７    軸部（切替部）
３４    コイルバネ（切替部）
３９    案内溝（切替部）
１００  ＣＰＵ（表示制御部）
２００  メモリ（記憶部、位置登録部、時刻登録部）
３０３  ＧＰＳモジュール（位置取得部）
３０５  時計回路（計時部）
【図１】
2011135346.tif 000003
【図２】
2011135346.tif 000004
【図３】
2011135346.tif 000005
【図４】
2011135346.tif 000006
【図５】
2011135346.tif 000007
【図６】
2011135346.tif 000008
【図７】
2011135346.tif 000009
【図８】
2011135346.tif 000010
【図９】
2011135346.tif 000011
【図１０】
2011135346.tif 000012
【図１１】
2011135346.tif 000013
【図１２】
2011135346.tif 000014
【図１３】
2011135346.tif 000015
【図１４】
2011135346.tif 000016
【図１５】
2011135346.tif 000017
【図１６】
2011135346.tif 000018
【図１７】
2011135346.tif 000019
【図１８】
2011135346.tif 000020
【図１９】
2011135346.tif 000021
【図２０】
2011135346.tif 000022
【図２１】
2011135346.tif 000023
【図２２】
2011135346.tif 000024
【図２３】
2011135346.tif 000025
【図２４】
2011135346.tif 000026